(57)【要約】【課題】共同入浴室における一連の動作による音が、共用スペースに漏れ出すことなく、かつ使用者のプライバシーが保護されることのできる集合宿泊施設を提供する。【解決手段】本発明の集合宿泊施設は、共用スペースと、該共用スペースに隣接して設けられる共同入浴室と、を備える。共同入浴室は、共用スペース側から見て、前室と、脱衣室と、浴室とを順に備える。前室と共用スペースとの間、前室と脱衣室との間、及び該脱衣室と浴室との間のそれぞれには、仕切りが設けられている、【選択図】図１
2016183517.tif 000002
【特許請求の範囲】
【請求項１】
共用スペースと、
該共用スペースに隣接して設けられる共同入浴室と、を備え、
前記共同入浴室は、前記共用スペース側から見て、前室と、脱衣室と、浴室とを順に備え、
前記前室と前記共用スペースとの間、前記前室と前記脱衣室との間、及び該脱衣室と前記浴室との間のそれぞれには、仕切りが設けられている、集合宿泊施設。
【請求項２】
前記共同入浴室は複数個設けられ、隣り合う前記前室の間には、前記共用スペースに隣接して収納庫が設けられている、請求項１に記載の集合宿泊施設。
【請求項３】
前記共同入浴室の前記脱衣室には、洗面台が設けられている、請求項１又は２に記載の集合宿泊施設。
【請求項４】
前記前室は、洗面台を備える洗面室として形成されている、請求項１〜３の何れかに記載の集合宿泊施設。
【請求項５】
共用スペースと、
該共用スペースに隣接して設けられる共同入浴室と、を備え、
該共同入浴室は、前記共用スペース側から見て、屈曲通路室と、脱衣室と、浴室とを順に備え、
前記屈曲通路室と前記脱衣室との間、及び該脱衣室と前記浴室との間には、仕切りが設けられている、集合宿泊施設。
【請求項６】
前記屈曲通路室には、前記共用スペースと交わる方向に、仕切りが設けられている、請求項５に記載の集合宿泊施設。
【請求項７】
前記共同入浴室は複数個設けられ、隣り合う前記脱衣室及び前記浴室の間には、収納庫が隣接して設けられている、請求項５又は６に記載の集合宿泊施設。
【請求項８】
前記屈曲通路室には、洗面台が設けられている、請求項５〜７の何れかに記載の集合宿泊施設。
【請求項９】
前記集合宿泊施設は、福祉施設、高齢者施設、集合住宅、社員寮、ビジネスホテル又は病院である、請求項１〜８の何れかに記載の集合宿泊施設。
【発明の詳細な説明】
【技術分野】
【０００１】
本発明は、複数の居室の一角に共同入浴室を備えた集合宿泊施設に関する。
【背景技術】
【０００２】
従来より、例えば、集合住宅、福祉施設、高齢者施設、社員寮、ビジネスホテル及び病院等の複数の居室を備える集合宿泊施設には、複数の居室の一角に居住者が使用するための共同入浴室が設けられている（例えば、特開２０１５−２１２２３号公報（特許文献１）。
【０００３】
共同入浴室は、例えば、食堂、休憩室、大部屋、廊下等の共用スペースに隣接して設けられている。特許文献１に記載の集合住宅では、共同入浴室は、廊下に隣接して設けられている。そして、共同入浴室は、廊下（共用スペース）側から見て、脱衣室と、浴室と、を備える。共用スペースと脱衣室との間、及び該脱衣室と浴室との間には、仕切りが設けられている。
【０００４】
この種の集合宿泊施設では、居住者が共同入浴室を使用する場合、まず、廊下（共用スペース）から仕切りを開けて脱衣室に入室し、入浴の準備、衣服を脱ぐ等の動作をした後、浴室に入室して入浴する。そして、入浴後に、浴室から仕切りを開けて脱衣室に戻り、脱衣室で体を拭いた後、着替えや髪の乾燥等の動作を行う。
【先行技術文献】
【特許文献】
【０００５】
【特許文献１】特開２０１５−２１２２３号公報
【発明の概要】
【発明が解決しようとする課題】
【０００６】
しかしながら、上記構成の共同入浴室では、脱衣室及び浴室が廊下（共用スペース）に隣接して設けられているため、入浴の際の共同入浴室における、使用者の上記一連の動作による音が、共用スペースに漏れ出すという問題があった。
【０００７】
また、共用スペースと脱衣室、又は該脱衣室と浴室との間の仕切りが誤って開けられることで、使用者が共用スペース側から視認される可能性があり、使用者のプライバシーが保護されない、という問題があった。
【０００８】
そこで、本発明は、斯かる実情に鑑み、共同入浴室における一連の動作による音が、共用スペースに漏れ出すことなく、かつ使用者のプライバシーが保護されることのできる、集合宿泊施設を提供することを目的とする。
【課題を解決するための手段】
【０００９】
本発明に係る集合宿泊施設は、共用スペースと、該共用スペースに隣接して設けられる共同入浴室と、を備え、前記共同入浴室は、前記共用スペース側から見て、前室と、脱衣室と、浴室とを順に備え、前記前室と前記共用スペースとの間、前記前室と前記脱衣室との間、及び該脱衣室と前記浴室との間のそれぞれには、仕切りが設けられている、ことを特徴とする。
【００１０】
上記構成の集合宿泊施設によれば、共同入浴室は、共用スペース側から見て、前室と、脱衣室と、浴室とを順に備え、共用スペースと前室との間、前室と脱衣室との間、及び該脱衣室と浴室との間のそれぞれには、仕切りが設けられているため、脱衣室及び浴室が、前室によって共用スペースから離れて配置されることができ、共同入浴室からの音が共用スペースに漏れ出しにくくなる。
【００１１】
また、共用スペースと前室との間の仕切りが誤って開けられる場合であっても、脱衣室及び浴室にいる使用者が、共用スペース側から視認されにくく、使用者のプライバシーが保護される。したがって、共同入浴室における一連の動作による音が、共用スペースに漏れ出すことなく、かつ使用者のプライバシーが保護されることができる。
【００１２】
本発明の一態様として、前記共同入浴室は複数個設けられ、隣り合う前記前室の間には、前記共用スペースに隣接して収納庫が設けられているのが好ましい。
【００１３】
上記構成の集合宿泊施設によれば、複数の共同入浴室の隣り合う前室の間には、共用スペースに隣接して収納庫が設けられているため、共同入浴室の使用者が共同入浴室で利用する衣類やタオル等の身の回り品、洗髪料、洗顔料等の消耗品を収納庫に収納することができ、使用者の入浴準備の煩雑さを解消することができる。
【００１４】
本発明の他態様として、前記共同入浴室の前記脱衣室には、洗面台が設けられているのが好ましい。
【００１５】
上記構成の集合宿泊施設によれば、脱衣室には、洗面台が設けられているため、共同入浴室の使用者が、入浴前後において髪の乾燥や髭剃り、化粧、歯磨き等を、洗面台を用いて行うことができ、入浴とともに身支度を整えることができる。
【００１６】
本発明のさらに他の態様として、前記前室は、洗面台を備える洗面室として形成されているのが好ましい。
【００１７】
上記構成の集合宿泊施設によれば、前室は、洗面台を備える洗面室として形成されているため、共同入浴室の使用者は、脱衣室とは別に洗面室を使用することができ、使用者が脱衣室及び浴室を使用している場合でも、別の使用者が洗面室を使用することができ、待ち時間を少なくすることができる。
【００１８】
本発明の別の集合宿泊施設は、共用スペースと、該共用スペースに隣接して設けられる共同入浴室と、を備え、該共同入浴室は、前記共用スペース側から見て、屈曲通路室と、脱衣室と、浴室とを順に備え、前記屈曲通路室と前記脱衣室との間、及び該脱衣室と前記浴室との間には、仕切りが設けられている、ことを特徴とする。
【００１９】
上記構成の集合宿泊施設によれば、共同入浴室は、共用スペース側から見て、屈曲通路室と、脱衣室と、浴室とを順に備え、屈曲通路室と脱衣室との間、及び該脱衣室と浴室との間には、仕切りが設けられているため、脱衣室及び浴室が、屈曲通路室によって共用スペースから離れて配置されることができ、屈曲通路室が設けられたことによる迂回効果によって、共同入浴室における音を遮ることができ、共同入浴室からの音が共用スペースにさらに漏れ出しにくくなる。
【００２０】
また、共同入浴室にいる使用者が、共用スペース側からさらに視認されにくくなり（共有スペースから脱衣室の視界の遮り）、使用者のプライバシーがより一層保護される。したがって、共同入浴室における一連の動作による音が、共用スペースに漏れ出すことなく、かつ使用者のプライバシーがより一層保護されることができる。
【００２１】
本発明のさらに別の態様として、前記屈曲通路室には、前記共用スペースと交わる方向に、仕切りが設けられているのが好ましい。
【００２２】
上記構成によれば、屈曲通路室には、共用スペースと交わる方向に、仕切りが設けられているため、共同入浴室における一連の動作による音が、共用スペースにより一層漏れ出さなくなり、かつ使用者のプライバシーがより一層保護されることができる。
【００２３】
本発明のさらに別の態様として、前記共同入浴室は複数個設けられ、隣り合う前記脱衣室及び前記浴室の間には、収納庫が隣接して設けられているのが好ましい。
【００２４】
上記構成によれば、複数の共同入浴室の隣り合う脱衣室及び浴室の間には、収納庫が隣接して設けられているため、共同入浴室の使用者が共同入浴室で利用する衣類やタオル等の身の回り品、洗髪料、洗顔料等の消耗品を収納庫に収納することができ、使用者の入浴準備の煩雑さを解消することができる。
【００２５】
本発明のさらに別の態様として、前記屈曲通路室には、洗面台が設けられているのが好ましい。
【００２６】
上記構成によれば、屈曲通路室には、洗面台が設けられているため、共同入浴室の使用者は、脱衣室とは別に洗面台を使用することができ、使用者が脱衣室及び浴室を使用している場合でも、別の使用者が洗面台を使用することができ、待ち時間を少なくすることができる。
【００２７】
本発明のさらに別の態様として、前記屈曲通路室と前記洗面室との間には、仕切りが設けられているのが好ましい。
【００２８】
上記構成によれば、屈曲通路室と洗面室との間には、仕切りが設けられているため、共同入浴室における一連の動作による音が、共用スペースにさらに漏れ出さなくなり、かつ使用者のプライバシーがより一層保護されることができる。
【００２９】
本発明のさらに別の態様として、前記集合宿泊施設は、福祉施設、高齢者施設、集合住宅、社員寮、ビジネスホテル又は病院であるのが好ましい。
【００３０】
上記構成の集合宿泊施設によれば、福祉施設、高齢者施設、集合住宅、社員寮、ビジネスホテル又は病院等の多様な建物に、上記構成の共同入浴室を適用することができ、汎用性が高まる。
【発明の効果】
【００３１】
以上のように、本発明の集合宿泊施設によれば、共同入浴室における一連の動作による音が、共用スペースに漏れ出すことなく、かつ使用者のプライバシーが保護されることができる、といった優れた効果を奏し得る。
【図面の簡単な説明】
【００３２】
【図１】本発明の第一の実施形態に係る集合宿泊施設の共同入浴室の平面図である。
【図２】本発明の第一の実施形態に係る集合宿泊施設において、共同入浴室の隣り合う前室の間に収納庫が設けられる様子を示す平面図である。
【図３】本発明の第一の実施形態に係る集合宿泊施設において、共同入浴室に洗面室が設けられる様子を示す平面図である。
【図４】本発明の第二の実施形態に係る集合宿泊施設の共同入浴室の平面図である。
【図５】本発明の第二の実施形態に係る集合宿泊施設において、共同入浴室に洗面室及び収納庫が設けられる様子を示す平面図である。
【発明を実施するための形態】
【００３３】
（第一の実施形態）
以下、本発明の第一の実施形態に係る集合宿泊施設の概略について、添付図面を参照して説明する。
【００３４】
本実施形態に係る集合宿泊施設は、例えば、福祉施設、高齢者施設、集合住宅、社員寮、ビジネスホテル又は病院等の複数の居室を備える建物の一角に、居住者が使用するための共同入浴室が設けられているものである。
【００３５】
図１に示すように、本実施形態に係る集合宿泊施設は、共用スペースＳと、該共用スペースＳに隣接して設けられる共同入浴室１００と、を備える。
【００３６】
本実施形態において、共同入浴室１００は、一人の居住者が使用することを前提としている。また、集合宿泊施設が、例えば、福祉施設、高齢者施設及び病院等である場合、共同入浴室１００に介助者（介護者）が付き添うこともあるが、共同入浴室１００を使用する場合において、使用者の介護の有無を問わない。
【００３７】
本実施形態において、共同入浴室１００は、例えば、食堂、休憩室、大部屋、廊下等の、共用スペースＳに隣接して設けられている。本実施形態において、共同入浴室１００は、廊下Ｓに隣接して設けられている。
【００３８】
本実施形態において、共同入浴室１００は複数個設けられている。図１及び２に示すように、本実施形態に係る集合宿泊施設において、二室の共同入浴室１００，１００が設けられている。共同入浴室１００は、共用スペースＳ側から見て、前室１０と、脱衣室２０と、浴室３０とを順に備える。
【００３９】
本実施形態において、共同入浴室１００は、共用スペースＳ側から見て縦長の略長方形状に形成されている。また、脱衣室２０及び浴室３０は、共用スペースＳ側から見て横長の略長方形状に形成されている。
【００４０】
本実施形態において、前室１０は、共用スペースＳから脱衣室２０に入るために、使用者が必ず通る（出入りする）玄関口として設けられている。また、前室１０は、共用スペースＳと脱衣室２０との間に設けられているため、脱衣室２０及び浴室３０が、共用スペースＳから離れて配置されるようになる。本実施形態において、前室１０の広さは、略１３６５ｍｍ×１３６５ｍｍであるが、これに限定されるものではない。
【００４１】
脱衣室２０には、洗面台２１が設けられている。また、脱衣室２０には、例えば、衣服やタオル等の身の回り品を収納する収納箱２２が、洗面台２１の横に設置されている。また、脱衣室２０には、例えば、洗髪料や化粧品等の消耗品を収納するための収納棚（図示せず）が設けられてもよい。
【００４２】
浴室３０には、一般的な浴室と同様に、例えば、浴槽３１、洗い場３２、洗面台３３、鏡３４、シャワー（図示せず）、及び洗髪料や洗顔料、石鹸等を置くための台座（図示せず）等が設けられている。
【００４３】
また、前室１０と共用スペースＳとの間、前室１０と脱衣室２０との間、及び該脱衣室２０と浴室３０との間のそれぞれには、仕切り１０Ｐ，２０Ｐ，３０Ｐが設けられている。本実施形態において、仕切り１０Ｐ，２０Ｐとして、引き戸が設けられている。また、仕切り３０Ｐとして、一般的な浴室に用いられている扉が設けられている。
【００４４】
共同入浴室１００の使用者は、図１の矢印で示すように、まず、仕切り１０Ｐを開けて、共用スペースＳから前室１０に入室し、仕切り１０Ｐを閉める。次に、使用者は、仕切り２０Ｐを開けて、前室１０から脱衣室２０に入室し、仕切り２０Ｐを閉める。そして、使用者は、脱衣室２０で、入浴の準備や、衣服を脱ぐ等の動作をした後、仕切り３０Ｐを開けて、脱衣室２０から浴室３０に入室し，仕切り３０Ｐを閉めた後、浴室３０で入浴する。
【００４５】
そして、共同入浴室１００の使用者は、入浴後に、図１の矢印と逆の方向に、仕切り３０Ｐを開けて、浴室３０から脱衣室２０に戻り、仕切り３０Ｐを閉める。使用者は、脱衣室２０で体を拭いた後、着替えや髪の乾燥等の動作を行う。そして、使用者は、仕切り２０Ｐを開けて、脱衣室２０から前室１０に戻る。
【００４６】
本実施形態において、図２に示すように、隣り合う前室１０，１０の間には、共用スペースＳに隣接して収納庫４０が設けられている。収納庫４０には、共用スペースＳ側に仕切り４０Ｐが設けられている。
【００４７】
収納庫４０には、例えば、共同入浴室１００の使用者が脱衣室２０及び浴室３０で利用する衣類やタオル等の身の回り品、洗髪料、洗顔料等の消耗品を収納することができる。
【００４８】
図３に示すように、本実施形態において、前室１０は、洗面台１１を備える洗面室５０として形成されている。この場合、脱衣室２０には、洗面台２１が設けられていないが、図２の場合と同様に、脱衣室２０に、洗面台２１が設けられてもよい。
【００４９】
以上のように、本実施形態に係る集合宿泊施設によれば、脱衣室２０及び浴室３０が、前室１０によって共用スペースＳから離れて配置されることができ、共同入浴室１００（脱衣室２０及び浴室３０）からの音が共用スペースＳに漏れ出しにくくなる。
【００５０】
また、共用スペースＳと前室１０との間の仕切り１０Ｐが誤って開けられる場合であっても、脱衣室２０及び浴室３０にいる使用者が、共用スペースＳ側から視認されにくく、使用者のプライバシーが保護される。したがって、共同入浴室１００における一連の動作による音が、共用スペースＳに漏れ出すことなく、かつ使用者のプライバシーが保護されることができる。
【００５１】
また、共同入浴室１００の使用者が、脱衣室２０及び浴室３０で利用する衣類やタオル等の身の回り品、洗髪料、洗顔料等の消耗品を収納庫４０に収納することができ、使用者の入浴準備の煩雑さを解消することができる。
【００５２】
また、共同入浴室１００の使用者が、入浴前後において髪の乾燥や髭剃り、化粧、歯磨き等を、洗面台２１を用いて行うことができ、入浴とともに身支度を整えることができる。
【００５３】
また、共同入浴室１００の使用者は、脱衣室２０とは別に洗面室５０を使用することができ、使用者が脱衣室２０及び浴室３０を使用している場合でも、別の使用者が洗面室５０を使用することができ、待ち時間を少なくすることができる。
【００５４】
（第二の実施形態）
以下、本発明の第二の実施形態に係る集合宿泊施設の概略について、添付図面を参照して説明する。なお、本実施形態において、第一の実施形態に係る集合宿泊施設と同様の構成については、同一の参照符号を付して説明する。
【００５５】
本実施形態に係る共同入浴室を備える集合宿泊施設は、第一の実施形態に係る集合宿泊施設と同様に、例えば、福祉施設、高齢者施設、集合住宅、社員寮、ビジネスホテル又は病院等の複数の居室を備える建物の一角に、居住者が使用するための共同入浴室が設けられているものである。
【００５６】
図４に示すように、本実施形態に係る集合宿泊施設は、共用スペースＳと、該共用スペースＳに隣接して設けられる共同入浴室２００と、を備える。
【００５７】
本実施形態において、共同入浴室２００は、一人の居住者が使用することを前提としている。また、集合宿泊施設が、例えば、福祉施設、高齢者施設及び病院等である場合、共同入浴室に介助者（介護者）が付き添うこともあるが、共同入浴室２００を使用する場合において、使用者の介護の有無を問わない。
【００５８】
本実施形態に係る集合宿泊施設では、共同入浴室２００は、例えば、食堂、休憩室、大部屋、廊下等の共用スペースＳに隣接して設けられている。本実施形態において、共同入浴室２００は、廊下Ｓに隣接して設けられている。
【００５９】
本実施形態において、図４及び５に示すように、共同入浴室２００は複数個設けられている。本実施形態に係る集合宿泊施設において、二室の共同入浴室２００が設けられている。共同入浴室２００は、共用スペース（廊下）Ｓ側から見て、屈曲通路室６０と、脱衣室２０と、浴室３０とを順に備える。
【００６０】
屈曲通路室６０は、共用スペースＳから脱衣室２０に入るために、使用者が必ず通る（出入りする）通路室として設けられている。本実施形態において、屈曲通路室６０は、共用スペースＳから脱衣室２０に至る通路が、略コの字状に屈曲された通路室として形成されている。また、屈曲通路室６０は、共用スペースＳと脱衣室２０との間に設けられているため、脱衣室２０が、共用スペースＳ側から視認されないように配置されている。
【００６１】
共同入浴室２００において、脱衣室２０及び浴室３０は、共用スペースＳ側から見て横長の略長方形状に形成されている。
【００６２】
脱衣室２０には、洗面台２１が設けられている。また、脱衣室２０には、例えば、衣服やタオル等の身の回り品を収納する収納箱２２が、洗面台２１の横に設置されている。また、脱衣室２０には、例えば、洗髪料や化粧品等の消耗品を収納するための収納棚（図示せず）が設けられている。
【００６３】
浴室３０には、一般的な浴室と同様に、例えば、浴槽３１、洗い場３２、洗面台３３、鏡３４、シャワー（図示せず）、及び洗髪料や洗顔料、石鹸等を置くための台座（図示せず）等が設けられている。
【００６４】
また、屈曲通路室６０と脱衣室２０との間、及び該脱衣室２０と浴室３０との間には、それぞれ、仕切り６０Ｐ，３０Ｐが設けられている。仕切り６０Ｐとして、引き戸が設けられている。また、仕切り３０Ｐとして、一般的な浴室に用いられている扉が設けられている。
【００６５】
共同入浴室２００の使用者は、図４の矢印で示すように、まず、共用スペースＳから屈曲通路室６０を通り、仕切り６０Ｐを開けて、屈曲通路室６０から脱衣室２０に入室し、仕切り６０Ｐを閉める。次に、使用者は、脱衣室２０で、入浴の準備や、衣服を脱ぐ等の動作をした後、仕切り３０Ｐを開けて、脱衣室２０から浴室３０に入室し，仕切り３０Ｐを閉めた後、浴室３０で入浴する。
【００６６】
そして、共同入浴室２００の使用者は、入浴後に、図４の矢印と逆の方向に、仕切り３０Ｐを開けて、浴室３０から脱衣室２０に戻り、仕切り３０Ｐを閉める。使用者は、脱衣室２０で体を拭いた後、着替えや髪の乾燥等の動作を行う。そして、使用者は、仕切り６０Ｐを開けて、脱衣室２０から屈曲通路室６０に戻る。
【００６７】
図５に示すように、隣り合う脱衣室２０及び浴室３０の間には、収納庫７０が隣接して設けられている。収納庫７０には、共用スペースＳ側に仕切り７０Ｐが設けられている。本実施形態において、仕切り７０Ｐとして引き戸が設けられている。
【００６８】
図５に示すように、屈曲通路室６０には、洗面台８０が設けられている。屈曲通路室６０には、共用スペースＳと交わる方向に、仕切り８０Ｐが設けられている。この場合、脱衣室２０には、洗面台２１が設けられていないが、図４の場合と同様に、脱衣室２０に、洗面台２１が設けられてもよい。
【００６９】
以上のように、本実施形態に係る集合宿泊施設によれば、脱衣室２０及び浴室３０が、屈曲通路室６０によって共用スペースＳから離れて配置されることができ、屈曲通路室６０が設けられたことによる迂回効果によって、共同入浴室２００における音を遮ることができ、共同入浴室２００からの音が共用スペースＳにさらに漏れ出しにくくなる。
【００７０】
また、共同入浴室２００（脱衣室２０及び浴室３０）にいる使用者が、共用スペースＳ側からさらに視認されにくくなり（共用スペースＳから脱衣室２０の視界の遮り）、使用者のプライバシーがより一層保護される。したがって、共同入浴室２００における一連の動作による音が、共用スペースＳに漏れ出すことなく、かつ使用者のプライバシーがより一層保護されることができる。
【００７１】
また、共同入浴室２００の使用者が共同入浴室２００で利用する衣類やタオル等の身の回り品、洗髪料、洗顔料等の消耗品を収納庫７０に収納することができ、使用者の入浴準備の煩雑さを解消することができる。
【００７２】
また、脱衣室２０及び浴室３０の使用者は、脱衣室２０とは別に洗面台８０を使用することができ、使用者が脱衣室２０及び浴室３０を使用している場合でも、別の使用者が洗面台８０を使用することができ、待ち時間を少なくすることができる。
【００７３】
尚、本発明の共同入浴室を備える集合宿泊施設は、上記第一及び第二の実施形態に限定されるものではなく、本発明の要旨を逸脱しない範囲で適宜変更し得ることは勿論のことである。
【００７４】
上記各実施形態において、二つの共同入浴室が設けられているが、これに限定されるものではなく、共同入浴室の個数は限定されず、一つ又は三つ以上の共同入浴室が設けられてもよい。
【００７５】
上記各実施形態において、脱衣室２０及び浴室３０は、共用スペースＳ側から見て横長の略長方形状に形成されているが、これに限定されるものではなく、例えば、脱衣室２０及び浴室３０は、共用スペースＳ側から見て縦長の略長方形状に形成されてもよい。また、浴室における浴槽、洗い場及び洗面台等の向き、脱衣室における洗面台等の向き、及び洗面室の洗面台の向き等は、適宜変更可能である。
【００７６】
上記各実施形態において、脱衣室２０には、例えば、衣服やタオル等の身の回り品を収納する収納箱２２が、洗面台２１の横に設置されているが、これに限定されるものではなく、例えば、脱衣室２０には、収納籠やロッカー等が設けられてもよい。
【００７７】
上記各実施形態において、仕切り１０Ｐ，２０Ｐ，６０Ｐ，７０Ｐ及び８０Ｐとして引き戸が設けられているが、これに限定されるものではなく、例えば、仕切りとして、下がり壁やアコーディオン扉、折戸扉等が設けられてもよい。
【００７８】
上記第一の実施形態において、脱衣室２０には、洗面台２１が設けられているが、これに限定されるものではない。ただ、共同入浴室１００の使用者が、入浴の前後に身支度をするために、洗面台２１が設けられるのが好ましい。
【００７９】
上記第二の実施形態において、屈曲通路室６０は、共用スペースＳから脱衣室２０に至る通路が、略コの字状に屈曲されて形成されているが、これに限定されるものではない。屈曲通路室６０は、共用スペースＳと脱衣室２０との間に設けられ、脱衣室２０が、共用スペースＳ側から視認されないような構成であればよい。
【００８０】
上記第二の実施形態において、屈曲通路室６０には、共用スペースＳと交わる方向に、仕切りが設けられてもよい。ただ、共用スペースＳから脱衣室２０に至る通路が、屈曲された屈曲通路室６０とされていることで、脱衣室２０及び浴室３０の使用者が、共用スペースＳからさらに視認されにくくなるため、共用スペースＳと屈曲通路室６０との間には、仕切りは必須ではない。
【００８１】
上記第二の実施形態において、隣り合う脱衣室２０及び浴室３０の間には、収納庫７０が隣接して設けられるとともに、屈曲通路室６０には、洗面台８０が設けられているが、これに限定されるものではない。収納庫７０又は洗面台８０の何れかが設けられてもよいし、収納庫７０及び洗面台８０の両方が設けられてもよい。
【００８２】
上記第一及び第二の実施形態において、集合宿泊施設は、福祉施設、高齢者施設、集合住宅、社員寮、ビジネスホテル又は病院であるが、これに限定されるものではなく、複数の居室の一角に共用スペースに隣接して共同入浴室を備えるものであればよい。
【産業上の利用可能性】
【００８３】
本発明の集合宿泊施設は、複数の居室を備える建物に、共用スペースに隣接して共同入浴室が設けられている場合に有効に適用される。
【符号の説明】
【００８４】
１０  前室、１０Ｐ  仕切り、１１  洗面台、２０  脱衣室、２０Ｐ  仕切り、２１  洗面台、２２  収納箱、３０  浴室、３０Ｐ  仕切り、３１  浴槽、３２  洗い場、３３  洗面台、３４  鏡、４０  収納庫、５０  洗面室、６０  屈曲通路室、６０Ｐ  仕切り、７０  収納庫、７０Ｐ  仕切り、８０  洗面台、８０Ｐ  仕切り、１００，２００  共同入浴室、Ｓ  共有スペース（廊下）。
【図１】
2016183517.tif 000003
【図２】
2016183517.tif 000004
【図３】
2016183517.tif 000005
【図４】
2016183517.tif 000006
【図５】
2016183517.tif 000007